(57)【要約】【課題】果実離脱性を有する新規トウガラシ植物を提供する。【解決手段】本発明は、成熟期に果実離脱性を有し、且つ、栽培品種であることを特徴とするトウガラシ植物である。本発明は、成熟期に果実離脱性を有し、且つ、栽培品種のトウガラシ植物を作出する方法であって、栽培品種のトウガラシ植物を母本とし、成熟期に果実離脱性を有するトウガラシ植物を父本として交配を行い、Ｆ１雑種を得る工程と、前記Ｆ１雑種に、前記栽培品種のトウガラシ植物を戻し交配し、前記戻し交配を少なくとも２回繰り返す工程と、得られた世代のうち、成熟期に果実離脱性を有する個体を選別する工程と、を備えることを特徴とするトウガラシ植物の作出方法である。【選択図】なし【特許請求の範囲】
【請求項１】
成熟期に果実離脱性を有し、且つ、栽培品種であることを特徴とするトウガラシ植物。
【請求項２】
さらに、果実が房成りに結実する、請求項１に記載のトウガラシ植物。
【請求項３】
請求項１又は２に記載のトウガラシ植物から収穫されたことを特徴とする果実。
【請求項４】
請求項３に記載の果実から得られたことを特徴とする種子。
【請求項５】
成熟期に果実離脱性を有し、且つ、栽培品種のトウガラシ植物を作出する方法であって、
栽培品種のトウガラシ植物を母本とし、成熟期に果実離脱性を有するトウガラシ植物を父本として交配を行い、Ｆ１雑種を得る工程と、
前記Ｆ１雑種に、前記栽培品種のトウガラシ植物を戻し交配し、前記戻し交配を少なくとも２回繰り返す工程と、
得られた世代のうち、成熟期に果実離脱性を有する個体を選別する工程と、
を備えることを特徴とするトウガラシ植物の作出方法。
【請求項６】
前記栽培品種のトウガラシ植物が栃木三鷹である、請求項５に記載のトウガラシ植物の作出方法。
【請求項７】
前記成熟期に果実離脱性を有するトウガラシ植物がＰｉｑｕｉｎ（ピキン）である、請求項５又は６に記載のトウガラシ植物の作出方法。
【請求項８】
受領番号ＦＥＲＭ  ＡＰ−２２３０５であるトウガラシ植物の種子。
【請求項９】
請求項８に記載の種子から生育されたことを特徴とするトウガラシ植物。
【発明の詳細な説明】
【技術分野】
【０００１】
本発明は、新規トウガラシ植物、該トウガラシ植物から得られた果実及び種子、並びにトウガラシ植物の作出方法に関する。
【背景技術】
【０００２】
現在、加工用として栽培されているトウガラシは、成熟期以降、個体ごと収穫し、自然乾燥させた後に、手作業で花柄から果実をもぎ取る。
【０００３】
また、日本においてトウガラシは主に加工用として利用されるが、一般に、生食用としても利用される大果品種は果実離脱性が見られず、一つ一つ手作業でもぎ取って収穫する必要がある。
【０００４】
特許文献１には、ジョイントレス形質を有し、収穫時に蔕の下から離脱する蔕のないトマトが開示されている。
【先行技術文献】
【特許文献】
【０００５】
【特許文献１】特開２０１１−１３０６９７号公報
【発明の概要】
【発明が解決しようとする課題】
【０００６】
特許文献１において、果実離脱性を有するトマトが開示されているが、トウガラシ等その他の植物において、同様の性質を有することについて開示されていない。
また、従来のトウガラシは、手作業で花柄から果実をもぎ取るため、多大な労力を必要とし、萼や花柄などが混入しやすい。さらに、萼から果実をうまくもぎ取れず果実を損傷する可能性があるため、収率が悪い。
このため、果実離脱性を有するトウガラシが求められていた。
【０００７】
本発明は、上記事情に鑑みてなされたものであって、果実離脱性を有する新規トウガラシ植物を提供することを目的とする。
【課題を解決するための手段】
【０００８】
本発明は、以下の態様を含む。
［１］成熟期に果実離脱性を有し、且つ、栽培品種であることを特徴とするトウガラシ植物。
［２］さらに、果実が房成りに結実する、［１］に記載のトウガラシ植物。
［３］［１］又は［２］に記載のトウガラシ植物から収穫されたことを特徴とする果実。
［４］［３］に記載の果実から得られたことを特徴とする種子。
［５］成熟期に果実離脱性を有し、且つ、栽培品種のトウガラシ植物を作出する方法であって、栽培品種のトウガラシ植物を母本とし、成熟期に果実離脱性を有するトウガラシ植物を父本として交配を行い、Ｆ１雑種を得る工程と、前記Ｆ１雑種に、前記栽培品種のトウガラシ植物を戻し交配し、前記戻し交配を少なくとも２回繰り返す工程と、得られた世代のうち、成熟期に果実離脱性を有する個体を選別する工程と、を備えることを特徴とするトウガラシ植物の作出方法。
［６］前記栽培品種のトウガラシ植物が栃木三鷹である、［５］に記載のトウガラシ植物の作出方法。
［７］前記成熟期に果実離脱性を有するトウガラシ植物がＰｉｑｕｉｎ（ピキン）である、［５］又は［６］に記載のトウガラシ植物の作出方法。
［８］受領番号ＦＥＲＭ  ＡＰ−２２３０５であるトウガラシ植物の種子。
［９］［８］に記載の種子から生育されたことを特徴とするトウガラシ植物。
【発明の効果】
【０００９】
本発明によれば、圃場で手作業又は収穫機により容易に収穫可能なトウガラシ植物を提供できる。
【図面の簡単な説明】
【００１０】
【図１】（Ａ）果実が成熟したしげまるレッドを撮影した画像である。（Ｂ）しげまるレッドの成熟した果実が容易に離脱する様子を示す画像である。
【図２】実施例１におけるトウガラシ植物の作出方法を示す工程図である。
【図３】（Ａ）ピキンの結実後の様子を表す画像である。（Ｂ）ＢＣ３Ｆ３世代の結実後の様子を表す画像である。（Ｃ）ピキンの結実後の様子を表す模式図である。（Ｄ）ＢＣ３Ｆ３世代の結実後の様子を表す模式図である。
【図４】実施例１におけるＦ２世代の集団での茎の長さ（主茎長）（Ａ）及び果実の長さ（Ｂ）の分布を示すグラフである。
【図５】試験例１におけるＢＣ３Ｆ２の開花からの生育日数と離脱しない果実の割合又は波長４７０ｎｍの吸光度との関係を示すグラフである。
【発明を実施するための形態】
【００１１】
本明細書において、「トウガラシ植物」とは、中央及び南アメリカ原産のナス科植物であって、トウガラシ（Ｃａｐｓｉｃｕｍ）属のカプシカム・アンヌウム（Ｃａｐｓｉｃｕｍ  ａｎｎｕｕｍ）に属する植物を包含する。
本明細書において、「栽培品種」とは、農業や園芸利用のために育種された、有用な形質を保持する分類群を意味し、「野生種」とは、栽培・飼育化されている作物（本明細書においては、トウガラシ植物）と同一種あるいは近縁種のもので、野生の生物種を意味する。
【００１２】
本明細書において、「果実離脱性」とは、果実の成熟に伴い、萼から果実が離脱する性質を意味する。
本明細書において、「形質」とは、植物の特徴又は表現型を意味しており、本明細書における形質としては、例えば、果実離脱性、果実の房成り性、収量性、大果性等が挙げられる。形質は、優性又は劣性の様式で、若しくは、部分又は不完全優性の様式で遺伝する。形質は、一遺伝子性又は多遺伝子性であるか、若しくは、同様に、環境中の１つ以上の遺伝子の相互作用から起こりうる。
【００１３】
本明細書において、「一遺伝子性」とは、単独の遺伝子座によって決定されることを意味し、「多遺伝子性」とは、１つ以上の遺伝子座によって決定されることを意味する。
また、「優性」とは、 ヘテロ接合又はホモ接合状態で完全な表現型出現をもたらすことを意味し、「劣性」とは、ホモ接合状態で存在するときのみ、完全な表現型が出現することを意味する。
本明細書において、「遺伝子座」とは、形質に寄与する遺伝子を含む染色体上の領域を意味し、「対立遺伝子」とは、相同染色体内の同じ遺伝子座にあるため、遺伝において選択的であるペア又は一連の遺伝子形態の一方を意味し、「ホモ接合」とは、相同染色体上の対応する遺伝子座の１つ以上で類似の対立遺伝子をもつことを意味し、「ヘテロ接合」とは、相同染色体上の対応する遺伝子座の1つ以上で異なる対立遺伝子をもつことを意味する。
【００１４】
本明細書において、「中間母本」とは、一般に商品としては流通せず、品種改良を行うために利用される素材のことを意味する。
【００１５】
＜トウガラシ植物＞
一実施形態として、本発明は、成熟期に果実離脱性を有し、且つ、栽培品種である、トウガラシ植物を提供する。
【００１６】
トウガラシ植物の野生種は、果実が成熟すると果柄等から離脱し、脱落する性質を有するものが多い。これは、野生種のトウガラシ植物の繁殖機構となっているためである。
一方、トウガラシ植物の栽培品種は、果実が成熟すると果柄等から離脱し、脱落する性質を有する品種が少ない。これは、以下の経緯によりトウガラシ植物の栽培品種が発生したためである。トウガラシ植物の栽培当初、野生種が栽培されていたが、果実の脱落をコントロールできず収穫前に果実が脱落してしまうため、減収の原因となっていた。そのため、栽培者により、自然突然変異により非脱落性を示す個体が選抜され、以降、栽培の繰り返し、世界各地への伝播の過程で多数の栽培品種が生じた。
しかしながら、機械収穫も可能となった近年においては、収穫が容易である果実離脱性を有する栽培品種が求められている。
本実施形態のトウガラシ植物は、果実の成熟期（開花から約５０日前後）になると、果実が赤く色づき、萼からほとんど力を要さずにもぎ取ることができるため、圃場で手作業又は収穫機により容易に収穫することができる。
【００１７】
従来の栽培品種であるトウガラシ植物では、上述の発生経緯により萼からの果実離脱性を有さず、手作業で花柄から果実をもぎ取るため、多大な労力を必要としていた。また、うまくもぎ取れず果実が損傷する可能性があるため、収率が悪かった。これに対し、本発明者らは、栽培品種であるトウガラシ植物と、果実離脱性を有するトウガラシ植物とを交配することにより、成熟期に果実離脱性を有し、果実形態、成熟期の果皮色が従来の優良品種と同等で、収量性及び品質が良く、これらの形質を安定的に有する新規トウガラシ植物を発明するに至った。
【００１８】
本実施形態のトウガラシ植物は、さらに、果実が房成りに結実する形質（以下、「房成り性」と呼ぶ。）を有することが好ましい。房成り性を有することにより、多くの果実を一斉に収穫することができ、収量性の優れた品種であるといえる。
【００１９】
本実施形態のトウガラシ植物を中間母本として用いることにより、他のトウガラシ植物の栽培品種に果実離脱性を付与した新しい栽培品種を作出することができる。
【００２０】
＜果実＞
一実施形態として、本発明は、上記のトウガラシ植物から収穫された、果実を提供する。
【００２１】
本実施形態の果実は、赤色を呈しており、収穫時に果実の損傷もないため、品質が良い。また、由来となる栽培品種の種類によって、生食用又は加工用、若しくはその両方として利用することができる。
【００２２】
＜種子＞
一実施形態として、本発明は、上記の果実から得られた、種子を提供する。
【００２３】
本実施形態の種子を生育することにより、成熟期に果実離脱性を有するトウガラシ植物を得ることができる。
【００２４】
＜トウガラシ植物の作出方法＞
一実施形態として、本発明は、成熟期に果実離脱性を有し、且つ、栽培品種のトウガラシ植物を作出する方法であって、栽培品種のトウガラシ植物を母本とし、成熟期に果実離脱性を有するトウガラシ植物を父本として交配を行い、Ｆ１雑種を得る工程と、前記Ｆ１雑種に、前記栽培品種のトウガラシ植物を戻し交配し、前記戻し交配を少なくとも２回繰り返す工程と、得られた世代のうち、成熟期に果実離脱性を有する個体を選別する工程と、を備える、トウガラシ植物の作出方法を提供する。
【００２５】
本実施形態の作出方法によれば、成熟期に果実離脱性を有し、且つ、栽培品種のトウガラシ植物を簡便に得ることができる。また、多くの既存の栽培品種に果実離脱性を付与し、新しい栽培品種を作出することができる。
【００２６】
本実施形態の作出方法において、母本として使用する栽培種としては、例えば、カプシカム・アンヌウム（Ｃａｐｓｉｃｕｍ  ａｎｎｕｕｍ）種、カプシカム・バッカツム（Ｃａｐｓｉｃｕｍ  ｂａｃｃａｔｕｍ）、カプシカム・シネンセ（Ｃａｐｓｉｃｕｍ  ｃｈｉｎｅｎｓｅ）種、カプシカム・フルートセンス（Ｃａｐｓｉｃｕｍ  ｆｒｕｔｅｓｃｅｎｓ）種、カプシカム・プベスケンス（Ｃａｐｓｉｃｕｍ  ｐｕｂｅｓｃｅｎｓ種）等が挙げられる。より具体的な栽培品種としては、例えば、Ｃ．ａｎｎｕｕｍ種の鷹の爪、栃木三鷹、本鷹、福耳、羅帝、スピノーザ、太長中辛とうがらし、黄とうがらし、紫とうがらし、日光とうがらし、伏見甘長唐辛子、万願寺唐辛子、げきからとうがらし、ひもとうがらし、南部大長南蛮等；Ｃ．ｂａｃｃａｔｕｍ種のアヒ・アマリージョ；Ｃ．ｆｒｕｔｅｓｃｅｎｓ種のキダチトウガラシ等；Ｃ．ｃｈｉｎｅｎｓｅ種のハバネロ、ブート・ジョロキア等；Ｃ．ｐｕｂｅｓｃｅｎｓ種のロコト等が挙げられる。中でも、房成り性を有し、果実の品質が良いことから、栃木三鷹又は信鷹を用いることが好ましく、栃木三鷹を用いることがより好ましい。
【００２７】
本実施形態の作出方法において、父本として使用するトウガラシ植物としては、ナス科トウガラシ属 （Ｃａｐｓｉｃｕｍ）に属し、成熟期に果実離脱性を有するものであって、栽培品種と交配可能なものであれば、栽培品種であっても、野生種であってもよい。具体的な種としては、Ｃ．ａｎｎｕｕｍ種、Ｃ．ｆｒｕｔｅｓｃｅｎｓ種等が挙げられる。さらに具体的な品種としては、Ｃ．ａｎｎｕｕｍ種のＰｉｑｕｉｎ（ピキン）（ピキンのその他呼称として、Ｐｅｑｕｉｎ、Ｂｉｒｄ  Ｐｅｐｐｅｒ、Ｐｉｎｈｅａｄ  ｐｅｐｐｅｒ、Ｃｈｉｌｅ  ｐｅｔｉｎ、Ｃｈｉｌｅ  ｐｅｑｕｉｎ、Ｐｉｑｕｉｎ、Ｃｈｉｌｅ  ｄｅｌ  ｍｏｎｔｅ、Ｃｈｉｌｅ  ｍｏｓｑｕｉｔｏ等が挙げられる。）、Ｃ．ｆｒｕｔｅｓｃｅｎｓ種のａｃｃｅｓｓｉｏｎ  ＢＧ２８１６等が挙げられる。中でも、入手が容易であることから、Ｐｉｑｕｉｎ（ピキン）を用いることが好ましい。
【００２８】
本実施形態の作出方法について、以下の通りである。
まず、栽培品種のトウガラシ植物（反復親）及び成熟期に果実離脱性を有するトウガラシ植物（供給親）の種子を用意し、これらの種子を２日間程度水に浸して約３０℃に保温して催芽を施す。これらを温室にて生育し、開花後、交配させる。交配は、栽培品種を母本とし、成熟期に果実離脱性を有する品種を父本として行い、通常、母本の除雄を行った後、授粉を行う。授粉処理後６０日〜９０日で果実が成熟した段階で、Ｆ１雑種の種子を得ることができる。
【００２９】
次いで、得られたＦ１雑種の種子を前記と同様に、催芽を施し、栽培して開花させる。続いて、同様に開花させた栽培品種を交配させ、第１回目の戻し交配を行う。ここで、交配は、Ｆ１雑種を父本とし、栽培品種を母本とし、これによりＢＣ１Ｆ１世代が得られる。
【００３０】
本明細書において、「戻し交配」とは、反復親と供与親とを交配することによって得られた交配後代（Ｆ１雑種）から次の世代の交配に用いる個体を、所定の条件にて選抜し、反復親を再びその選抜した個体と交配させ、この操作を繰り返すことを意味する。
このような交配によって、最終的に目的の遺伝子座が供与親型のホモ接合で、それ以外の染色体領域が反復親由来の染色体で構成されたコンジェニック系統の植物体を得ることができる。
【００３１】
交配後代の選別方法としては、例えば、育成したトウガラシ植物の遺伝型を表現型（本実施形態においては、果実離脱性及び房成り性を有すること）から判断する方法等が挙げられる。
【００３２】
次いで、得られたＢＣ１Ｆ１世代の種子を前記と同様に処理し、ＢＣ１Ｆ１世代を母本とし、栽培品種を母本として次の交配を行い、第２回目の戻し交配を行う。
【００３３】
連続戻し交配は、少なくとも２回繰り返すことが好ましく、３回繰り返すことがより好ましく、４回繰り返すことがさらに好ましく、５回繰り返すことが特に好ましい。また、少なくとも２回連続戻し交配した後に、得られた世代において自殖（自家授粉による生殖）させてもよい。
【００３４】
得られる世代が、ＢＣ２Ｆ１世代かそれより後代となった段階で、成熟期に果実離脱性を有する個体を選別する。選別方法については、上述と同様のもの等が挙げられる。
【００３５】
＜寄託された種子及び該種子から生育されたトウガラシ植物＞
一実施形態として、本発明は、受領番号ＦＥＲＭ  ＡＰ−２２３０５であるトウガラシ植物の種子を提供する。
【００３６】
本実施形態の種子は、上記の作出方法を用いて、母本として「栃木三鷹」と、父本として「Ｐｉｑｕｉｎ（ピキン）」との雑種を育成し、「栃木三鷹」を３回連続戻し交配し、２回自殖することにより得られた、果実離脱性及び房成り性を有する新規品種である。
【００３７】
本実施形態の種子を生育することにより、成熟期に果実離脱性を有するトウガラシ植物を得ることができる。該トウガラシ植物は、果実が房成りに結実し、さらに、果実の成熟期（開花から約５０日前後）になると、果実が赤く色づき、萼からほとんど力を要さずにもぎ取ることができるため、圃場で手作業又は収穫機により容易に収穫することができる。また、前記トウガラシ植物を中間母本として用いることにより、他のトウガラシ植物の栽培品種に果実離脱性を付与した新しい栽培品種を作出することができる。
【００３８】
本実施形態の種子から生育されたトウガラシ植物を「しげまるレッド」と名付けた。図１（Ａ）は、果実が成熟したしげまるレッドを撮影した画像であり、（Ｂ）は成熟した果実が容易に離脱する様子を示す画像である。しげまるレッドの植物学的性質は以下の通りである。
【００３９】
（科学的性質）
果実離脱性及び房成り性を有する。
【００４０】
（形態的性質）
（１）茎の長さ：２０ｃｍ以上４０ｃｍ以下
（２）草丈：６５ｃｍ以上８０ｃｍ以下
（３）果実の長さ：５．０ｃｍ以上７．０ｃｍ以下
（４）果実の直径：０．５ｃｍ以上１ｃｍ以下
【００４１】
（生殖様式）
自殖により結実し、種子を作る。
【００４２】
（分類学的性質）
カプシカム・アンヌウム（Ｃａｐｓｉｃｕｍ  ａｎｎｕｕｍ）種に属する。
【００４３】
本実施形態の種子は、２０１６年２月１０日付で独立行政法人製品評価技術基盤機構
バイオテクノロジーセンター特許生物寄託センター（ＮＩＴＥ−ＩＰＯＤ）（千葉県木更津市かずさ鎌足２−５−８ １２０号室）にプタベスト条約の規定化で受領番号ＦＥＲＭ  ＡＰ−２２３０５として国内寄託されている。
【００４４】
以下、実施例により本発明を説明するが、本発明は以下の実施例に限定されるものではない。
【実施例】
【００４５】
［実施例１］トウガラシ植物の育成
（１）Ｆ１雑種の作出工程
図２は、トウガラシ植物の作出方法を示す工程図である。図２において、Ｐ１とは栃木三鷹を表し、Ｐ２とはピキンを表し、Ｓｅｌｆｉｎｇとは自殖を表している。図２を参照しながら、作出方法について以下に説明する。
まず、栽培品種のトウガラシ植物として栃木三鷹（反復親）及び成熟期に果実離脱性を有するトウガラシ植物としてピキン（一回親）の種子を用意し、これらの種子を２日間程度水に浸して約３０℃に保温して催芽を施した。これらを温室にて生育し、開花後、交配させた。交配は、栃木三鷹を母本とし、ピキンを父本として行い、母本の除雄を行った後、授粉させた。授粉処理後６０〜９０日で果実が成熟した段階で、Ｆ１雑種の種子を得た。
栃木三鷹において、果実の生育期間を通して、萼は果実にくっついた状態であり、果実が成熟しても、しっかりとついたままである。一方、ピキンでは、果実の生育期間を通して、萼は果実にくっついた状態であるが、果実の成熟後には、果実は萼から簡単に離脱します。
【００４６】
（２）連続戻し交配工程
（１）と同様の方法により、得られたＦ１雑種の種子を栽培して、開花させた。このＦ１雑種の花粉を、栃木三鷹に授粉した。なお、授粉に用いた栃木三鷹の花は開花前に除雄し、自殖を避けるため袋掛けした。交配後も５日間は袋掛けのままとした。その後、ＢＣ１Ｆ１世代を得た。また、比較対象として、Ｆ１世代の種子を栽培して、自殖させ、１５９株のＦ２世代を得た。
【００４７】
続いて、得られたＢＣ１Ｆ１世代の種子を多数播種し、育成した。果実成熟期に果実が離脱し、房成り性を示す個体のうち、その他の量的形質について栃木三鷹により近い個体を選抜した。この選抜個体の花粉を採取した。温室内で育成した栃木三鷹自殖系統を母本として開花直前の花を除雄し、袋掛けした。この栃木三鷹の母本にＢＣ１Ｆ１世代の選抜個体由来の花粉を授粉する戻し交雑を行った。このような選抜と交雑を２回繰り返した。得られたＢＣ３Ｆ１世代の集団内で目標の形質を示す個体を選抜し、袋掛けによる自殖を２回行い、ＢＣ３Ｆ３世代を得た。
【００４８】
（３）トウガラシ植物の構造
図３は、ピキン世代（図３（Ａ）及び（Ｃ）参照）とＢＣ３Ｆ３（図３（Ｂ）及び（Ｄ）参照）との結実後の様子を表す画像及び模式図である。図３（Ｃ）及び（Ｄ）において、矢印は仮軸分裂組織を表す。
図３（Ａ）及び（Ｃ）から、ピキンでは、シュートは、頂芽前に主軸に８〜１５の葉と単一の花をつけ、また、軸から２つの仮軸が伸長し、末端の花の上に位置していた。
一方、図３（Ｂ）及び（Ｄ）から、ＢＣ３Ｆ３世代では、主軸の頂芽後に花のクラスタを形成し、下側軸のシュートは、頂芽優勢から解放されていた。
また、Ｆ１世代ではピキンと同様に無限花序（集散花序）であり、Ｆ２世代では、中間の形質のものは観察されず、１１０株は無限花序（集散花序）であり、４８株は有限花序であり、無限花序型が有限花序型に対して単一優性の１遺伝子支配であることが明らかとなった。表１は、各世代における植物の構造の内訳を示したものである。表１において、χ２はカイ２乗を表し、Ｐは有意確率を表す。表１において、「Ｓｉｎｇｌｅ  ｆｌｏｗｅｒ  ｐｅｒ  ｎｏｄｅ」とは、果実が節成りである個体を意味し、「Ｃｌｕｓｔｅｒ  ｏｆ  ｆｌｏｗｅｒｓ」は果実が房成りである個体を意味する。
【００４９】
【表１】
2017147975.tif 000002
【００５０】
表１から、Ｆ２世代では、節成り：房成りの割合が３：１であったのに対し、ＢＣ１Ｆ１世代では、１：１であった。さらに、ＢＣ１Ｆ１世代の集団のうち房成り性を有する株を自家受粉させた子孫では、節成り性を有する植物は観察されなかった。
この結果から、果実房成り性の遺伝は、一遺伝子性の劣性遺伝子によって施御されるように決定されていることが明らかとなった。
【００５１】
（４）トウガラシ植物の形態
図４は、Ｆ２世代の集団における、茎の長さ（主茎長）（Ａ）及び果実の長さ（Ｂ）の分布を示すグラフである。茎の長さ、果実の長さの平均はそれぞれ２９．６±４．０ｃｍ、２．７０±０．６１ｃｍであり、連続的な分布を示した。茎の長さのうち、節成り性個体の平均は、２９．９±４．０ｃｍであり、房成り性個体の平均は、２８．８±３．９ｃｍであった。
この結果から、植物の構造（花序型）と、茎の長さとの間には関連性がないことが明らかとなった。
【００５２】
（５）果実の離脱性について
表２は、得られた各世代において、果実離脱性を有する株と、有さない株の数をまとめたものである。
【００５３】
【表２】
2017147975.tif 000003
【００５４】
表２から、Ｆ２世代の集団において、１５９株のうち、１１１株は果実離脱性を有し、４８株は果実がしっかりと萼についていた。また、果実離脱性は、一遺伝子性の優性遺伝子のため、Ｆ２世代において、３：１の割合で遺伝し、ＢＣ１Ｆ１世代において、１：１の割合で遺伝した。
【００５５】
［試験例１］果実の色と果実離脱性との関連性についての確認試験
萼から果実を分離するのに必要な果実離脱力（Ｆｒｕｉｔ  ｄｅｔａｃｈｍｅｎｔ  ｆｏｒｃｅ：ＦＤＦ）（単位：ニュートン（Ｎ））は、プッシュフォースゲージ（ダイヤルテンションゲージＤＴＮ−３０、ＴＥＣＬＯＣＫ社製（日本、長野））を用いて決定した。  また、立った状態の果実の中間地点を果実に対して直角にゲージで押して計測した。
ピキンの成熟した果実の離脱力は３００ｍＮ未満だったため、圃場においてハンド試験で計測できるほど離脱し易かった。
また、Ｆ２世代とＢＣ世代については、それぞれ「ピキン」タイプ（節毎に単一の花を有するタイプ）又は「栃木三鷹」タイプ（花のクラスタを有するタイプ）として記録した。
【００５６】
次に、それぞれの世代について、液体Ｎを用いて、果実を微粉末に粉砕し、冷やしたアセトン１５ｍＬで色素を抽出した。続いて、得られた抽出液を５，０００×ｇ、２０分間遠心分離した。波長４５２ｎｍ及び４７０ｎｍの吸光度を測定した。
図５は、ＢＣ３Ｆ２における開花からの生育日数と離脱しない果実の割合又は波長４７０ｎｍの吸光度との関係を示すグラフである。
【００５７】
図５から、開花から３５日後には、離脱しない果実の割合は減り始め、開花から６０日後には、全ての果実が容易に離脱するようになった。また、波長４７０ｎｍの吸光度によって計測された果実の色は、非離脱の果実の割合と逆のパターンのグラフを描いており、吸光度の値が、開花から４０日後から４７日後にかけて、急速に上昇した。
【００５８】
この結果から、ＦＤＦの変化と果実の色とは関連しており、果実の成熟を促進する因子は、果実の色だけでなく、果実の離脱性についても促進することが示唆された。
【産業上の利用可能性】
【００５９】
本発明によれば、圃場で手作業又は収穫機により容易に収穫可能なトウガラシ植物を提供できる。
【図１】
2017147975.tif 000004
【図２】
2017147975.tif 000005
【図３】
2017147975.tif 000006
【図４】
2017147975.tif 000007
【図５】
2017147975.tif 000008